(57)【要約】【課題】  簡単な構成で安価でありながら、１人でも迅速かつ容易にベッドメイクを行なうことのできる敷布団カバーが望まれている。【解決手段】  敷布団カバー１は、敷布団の上面を覆う上面覆い部分２と、上面覆い部分２の左側端２０から延在していて敷布団の左側部下方へ折り込まれる左側部折込み部分３と、上面覆い部分２の右側端２１から延在していて敷布団の右側部下方へ折り込まれる右側部折込み部分４と、上面覆い部分２の前端２２から延在していて敷布団の前部下方へ折り込まれる前部折込み部分５とを備えるとともに、上面覆い部分２、左側部折込み部分３、右側部折込み部分４、および前部折込み部分５をニット生地で構成し、左側部折込み部分３と前部折込み部分５との重なり部分６、および右側部折込み部分４と前部折込み部分５との重なり部分７をそれぞれ接合して敷布団の前部を収容する前収容部８を形成してある。【選択図】      図１
0003104112.tif 000002
【実用新案登録請求の範囲】
【請求項１】
敷布団の上面を覆う上面覆い部分と、上面覆い部分の左側端から延在していて敷布団の左側部下方へ折り込まれる左側部折込み部分と、上面覆い部分の右側端から延在していて敷布団の右側部下方へ折り込まれる右側部折込み部分と、上面覆い部分の前端から延在していて敷布団の前部下方へ折り込まれる前部折込み部分とを備えるとともに、上面覆い部分、左側部折込み部分、右側部折込み部分、および前部折込み部分をニット生地で構成し、左側部折込み部分と前部折込み部分との重なり部分、および右側部折込み部分と前部折込み部分との重なり部分をそれぞれ接合して敷布団の前部を収容する前収容部を形成したことを特徴とする敷布団カバー。
【請求項２】
敷布団の上面を覆う上面覆い部分と、上面覆い部分の左側端から延在していて敷布団の左側部下方へ折り込まれる左側部折込み部分と、上面覆い部分の右側端から延在していて敷布団の右側部下方へ折り込まれる右側部折込み部分と、上面覆い部分の前端から延在していて敷布団の前部下方へ折り込まれる前部折込み部分と、上面覆い部分の後端から延在していて敷布団の後部下方へ折り込まれる後部折込み部分とを備えるとともに、上面覆い部分、左側部折込み部分、右側部折込み部分、前部折込み部分、および後部折込み部分をニット生地で構成し、左側部折込み部分と前部折込み部分との重なり部分、右側部折込み部分と前部折込み部分との重なり部分、左側部折込み部分と後部折込み部分との重なり部分、および右側部折込み部分と後部折込み部分との重なり部分を接合することにより、敷布団の前部、左側部、右側部、および後部を収容する周縁収容部を形成し、周縁収容部に敷布団の出し入れ口を形成し、出し入れ口の周縁全周にわたって周方向に連通する全周袋部を周縁収容部に形成し、全周袋部内にゴム線条を装入して出し入れ口を弾性縮径するように構成したことを特徴とする敷布団カバー。
【考案の詳細な説明】
【技術分野】
【０００１】
本考案は、交換の容易な敷布団カバーに関するものである。
【背景技術】
【０００２】
従来汎用の敷布団カバーは織布を用いて敷布団よりも大きな縦横寸法に形成されている。かかる敷布団カバーを用いてベッドメイクをするにあたっては、図８に示すように、まず、作業者の１人が敷布団カバー５１の前部折込み部分５２をベッド上に敷かれた敷布団Ｓの前部２４の下に折り入れて保持する。そして、別の作業者が敷布団カバー５１の後部折込み部分５３を矢印Ｊのように後向きに引っ張って敷布団カバー５１を展張させたのち、後部折込み部分５３を矢印Ｋのように敷布団Ｓの後部２５の下に折り入れる。このとき、作業者の１人が前部折込み部分５２をしっかり持っていなければ、敷布団カバー５１をぴんと張ることができない。続いて、敷布団カバー５１の左側部折込み部分、右側部折込み部分を敷布団Ｓの左側部、右側部の下方にそれぞれ折り入れることにより、ベッドメイク作業が完了する。
【０００３】
上記のように、従来汎用の敷布団カバー５１をしっかりと張れるようにベッドメイク作業をするためには、少なくとも２人の作業者が必要である。また、前部折込み部分５２、後部折込み部分５３、左側部折込み部分、および右側部折込み部分のいずれもが敷布団Ｓとベッドの間に挿し込まれているだけであることと、敷布団カバー５１を構成する織布がほとんど伸びないことから、ベッド利用者の動きに引っ張られて各折込み部分が徐々に位置ズレし、ひいては挿し込み位置から外れてめくれることがある。
【０００４】
一方、図９に示すように、敷布団カバー５１を電動ベッド６０上の敷布団Ｓに使用した場合、電動ベッド６０の前部６１が起き上がり駆動すると、敷布団カバー５１の前端５２が位置ズレしてめくれ落ちることがある。これにより、敷布団カバー５１がたるみ、電動ベッド６０の屈曲部位に対応した位置に多数の皺５４，５４，５４，・・・が生じて見栄えを損なう場合がある。
【０００５】
他方で、交換しやすいとされる敷布団カバーが下記の特許文献１に記載されている。特許文献１開示の敷布団カバーは、敷布団の上面のみを覆う上カバー部材と、敷布団の上面以外の部分を覆う下カバー部材と、下カバー部材に対し上カバー部材を着脱自在に係止するボタンおよびボタン穴などの係止手段を備えたものである。かかる構成により、下カバー部材に対し上カバー部材を着脱できるため、敷布団の上に人を寝かせたままでも汚れの多い上カバー部材を交換できるようになっている。
【０００６】
【特許文献１】特開平１１−９４１４号公報
【考案の開示】
【考案が解決しようとする課題】
【０００７】
しかしながら、前記特許文献１開示の敷布団カバーは、上カバー部材の交換に際して、１０個ほどのボタンをボタン穴から一つ一つ外したり留めたりしなければならない。そのため、上カバー部材の交換に手間と時間がかかるので、多数のベッドメイクを必要とする場合には適さない。また、構成が複雑であるため、製作に手間がかかり製作コストが高くつくという問題もある。
【０００８】
本考案は、上記した従来の問題点に鑑みてなされたものであって、簡単な構成で安価でありながら、１人でも迅速かつ容易にベッドメイクを行なうことのできる敷布団カバーの提供を目的とするものである。
【課題を解決するための手段】
【０００９】
上記目的を達成するために、本考案に係る敷布団カバーは、敷布団の上面を覆う上面覆い部分と、上面覆い部分の左側端から延在していて敷布団の左側部下方へ折り込まれる左側部折込み部分と、上面覆い部分の右側端から延在していて敷布団の右側部下方へ折り込まれる右側部折込み部分と、上面覆い部分の前端から延在していて敷布団の前部下方へ折り込まれる前部折込み部分とを備えるとともに、上面覆い部分、左側部折込み部分、右側部折込み部分、および前部折込み部分をニット生地で構成し、左側部折込み部分と前部折込み部分との重なり部分、および右側部折込み部分と前部折込み部分との重なり部分をそれぞれ接合して敷布団の前部を収容する前収容部を形成した構成にしてある。
【００１０】
また、敷布団の上面を覆う上面覆い部分と、上面覆い部分の左側端から延在していて敷布団の左側部下方へ折り込まれる左側部折込み部分と、上面覆い部分の右側端から延在していて敷布団の右側部下方へ折り込まれる右側部折込み部分と、上面覆い部分の前端から延在していて敷布団の前部下方へ折り込まれる前部折込み部分と、上面覆い部分の後端から延在していて敷布団の後部下方へ折り込まれる後部折込み部分とを備えるとともに、上面覆い部分、左側部折込み部分、右側部折込み部分、前部折込み部分、および後部折込み部分をニット生地で構成し、左側部折込み部分と前部折込み部分との重なり部分、右側部折込み部分と前部折込み部分との重なり部分、左側部折込み部分と後部折込み部分との重なり部分、および右側部折込み部分と後部折込み部分との重なり部分を接合することにより、敷布団の前部、左側部、右側部、および後部を収容する周縁収容部を形成し、周縁収容部に敷布団の出し入れ口を形成し、出し入れ口の周縁全周にわたって周方向に連通する全周袋部を周縁収容部に形成し、全周袋部内にゴム線条を装入して出し入れ口を弾性縮径するように構成したものである。
【考案の効果】
【００１１】
本考案に係る敷布団カバーによれば、前収容部に敷布団の前部が収容されることにより前収容部が位置決め掛止されるので、作業者１人でも敷布団のベッドメイクを迅速かつ容易に行なうことができる。従って、多数のカバー交換を短時間で行なわなければならない場合に好適である。また、伸縮性を有するニット生地で構成されているので、弾性的に展張した状態で敷布団を覆えるうえ、利用者が動いてもニット生地の伸縮性が追随するため、展張状態が長く保持される。そして、ニット生地は利用者に心地よさを与えるうえ皺になりにくく、洗濯、乾燥が容易である。また、アイロン掛けをしてもしなくても見栄えはあまり変わらないことから、アイロンがけを必要としない。これらの利点から、本考案の敷布団カバーは取扱いが極めて楽である。
【００１２】
また、敷布団の前部、左側部、右側部、および後部を収容する周縁収容部を形成し、周縁収容部に敷布団の出し入れ口を形成し、出し入れ口の周縁全周にわたって周方向に連通する全周袋部を周縁収容部に形成し、全周袋部内にゴム線条を装入して出し入れ口を弾性縮径するように構成した場合、前記と同様に、迅速かつ容易にベッドメイクできることは言うまでもない。加えて、ゴム線条の収縮力により左側部折込み部分、右側部折込み部分、前部折込み部分、後部折込み部分がそれぞれ内向きに引っ張られ、それに伴って上面覆い部分が各周縁部に向けて引っ張られるので、上面覆い部分はよりいっそう強く展張される。また、後部折込み部分により敷布団の後部が収容されるので、上面覆い部分の後端部が通常使用状態でめくれ上がったりしない。
【考案を実施するための最良の形態】
【００１３】
本考案の最良の実施形態を図面に基づいて説明する。尚、以下に述べる実施形態は本考案を具体化した一例に過ぎず、本考案の技術的範囲を限定するものでない。ここに、図１は本考案の一実施形態に係る敷布団カバーの底面図、図２は図１におけるＡ−Ａ線矢視で示す側断面図、図３は敷布団カバーの原材料であるニット生地の底面図である。
各図において、この実施形態に係る敷布団カバー１は、敷布団Ｓ（図４参照）の上面を覆う上面覆い部分２と、上面覆い部分２の左側端２０から延在していて敷布団Ｓの左側部２６の下方へ折り込まれる左側部折込み部分３と、上面覆い部分２の右側端２１から延在していて敷布団Ｓの右側部２７の下方へ折り込まれる右側部折込み部分４と、上面覆い部分２の前端２２から延在していて敷布団Ｓの前部２４の下方へ折り込まれる前部折込み部分５とを備えている。
【００１４】
前記した上面覆い部分２、左側部折込み部分３、右側部折込み部分４、および前部折込み部分５は一体に構成されており、図３に示すように、１枚のニット生地Ｎを裁断して得られる。但し、複数枚のニット生地をつなぎ合わせたものでもよい。そして、左側部折込み部分３と前部折込み部分５との重なり部分６は縫糸Ｐで接合され、右側部折込み部分４と前部折込み部分５との重なり部分７も縫糸Ｐで接合される。これにより、敷布団Ｓの前部２４を収容可能な前収容部８が形成される。
この例において、ニット生地Ｎは、例えばポリエステル４０％と綿６０％の混紡糸を用いて丸編機によりワッフル編み（蜂巣編み）組織に編成されている。但し、本考案に用いるニット生地は適当な伸縮性を有するものであればよく、編糸や編み組織の種類には特に限定されないが、寝心地や洗濯容易性の観点から適度の肌触り、通気性、および速乾性を備えているものが望ましい。また、縫糸Ｐは例えばポリエステルのウーリー加工糸を使用してあるが、これも適当な伸縮性を有するものであれば糸の種類に特に限定されず、洗濯耐久性の高いものが好ましい。
【００１５】
引続き、敷布団カバー１を用いたベッドメイク作業を主に図４を用いて説明する。ベッドメイクの作業者は、まずベッド（図示省略）上に敷かれた敷布団Ｓの前部２４の前方に敷布団カバー１の前収容部８を配置する（図４（ａ））。そして、同図（ｂ）のように、前部折込み部分５を前部２４の前方に敷布団カバー１の前収容部８を配置する（図４（ａ））。そして、同図（ｂ）のように、前部折込み部分５を前部２４の下方に挿入することにより（矢印Ｄ）、前部２４を前収容部８内に収容する。次に、作業者は敷布団Ｓの後方に回り込んで敷布団カバー１の後端部９を持って後方に引っ張る（矢印Ｅ）。このとき、敷布団カバー１の前端２２は前収容部８に収容された敷布団Ｓの前部２４に掛止されているので位置ズレしない。従って、後端部９を後向きに強く引くことができ、上面覆い部分２をぴんと展張した状態にすることができる。そして、上面覆い部分２を展張状態にしたままで、同図（ｃ）のように、後端部９を後下方に引いて（矢印Ｆ）、上面覆い部分２を敷布団Ｓの上面に被せる。そのまま、同図（ｄ）のように、後端部９を敷布団Ｓの後部２５の下方に折り込む（矢印Ｉ）。続いて、同図（ｅ）のように、右側部折込み部分４を敷布団Ｓの右側部２７の下方に折り込む（矢印Ｇ）。最後に、同図（ｆ）のように、左側部折込み部分３を敷布団Ｓの左側部２６の下方に折り込むことにより（矢印Ｈ）、ベッドメイク作業が終了する（図５）。因みに、このような一連のベッドメイク作業は作業者１人により作業開始から３秒程度の短時間で完了した。尚、同図（ｅ）以降において、先に左側部折込み部分３を折り込み、次いで右側部折込み部分４を折り込んでも構わない。
【００１６】
以上詳述したように、この敷布団カバー１は簡単な構成の前収容部８を備えているので、容易かつ安価に提供される。また、前収容部８を利用することにより、作業者１人でも敷布団Ｓのベッドメイクを迅速かつ容易に行なうことができる。従って、何百床といった多数のカバー交換を短時間で行なわなければならない、病院、介護施設、宿泊施設などにおいて好適に使用できる。無論、家庭で使用する場合も同様の効果を奏する。そして、敷布団カバー１は伸縮性を有するニット生地Ｎで構成されているので、図５に示したように、ぴんと展張した状態で見栄えよく敷布団Ｓを覆えるうえ展張状態が長く保持される。そのうえ、ニット生地Ｎはバルキーで保温性が高く肌触りもよいので、利用者に心地よい寝心地を与える。また、ニット生地Ｎは通気性がよく、洗濯、乾燥が容易であり、アイロンがけを必要としないので、取扱いが極めて楽な敷布団カバー１が提供される。
【００１７】
因みに、電動ベッド上の敷布団に用いた場合、敷布団カバー１の前収容部８を敷布団の起き上がり側の端部に被せてベッドメイクすると、電動ベッドが起き上がり駆動しても前収容部８が敷布団の起き上がり側の端部に掛止されているために、その部分が位置ズレしたりメイクれ落ちたりしない。これにより、敷布団カバー１の上面覆い部分２の展張状態はさほど低下しない。併せて、ニット生地Ｎは皺になりにくい素材である。従って、電動ベッドの屈曲部位に対応した位置の敷布団カバー１に生じる皺の度合いが小さくなり、敷布団カバー１の見栄えを大きく損なうことがない。また、ゴム線条を使用していないので、経時使用によるゴム線条の伸びにより使用できなくなったり、ゴム線条の交換を余儀なくさせるといったことがない。
【００１８】
続いて、別の実施形態に係る敷布団カバー１ａの底面図を図６に示す。この敷布団カバー１ａは前述の敷布団カバー１と大部分の構成を同じくしているが、構成の異なるところは以下の点である。まず、上面覆い部分２の後端２３から延在していて敷布団Ｓの後部２５の下方へ折り込まれる後部折込み部分１０を備えている。この後部折込み部分１０も、上面覆い部分２、左側部折込み部分３、右側部折込み部分４、および前部折込み部分５とともに同じニット生地Ｎで一体に構成されている。次に、左側部折込み部分３と後部折込み部分１０との重なり部分１１、および右側部折込み部分４と後部折込み部分１０との重なり部分１２がそれぞれ縫糸Ｐで接合されている。これにより、敷布団Ｓの前部２４、左側部２６、右側部２７、および後部２５を収容する周縁収容部１３が形成される。そして、周縁収容部１３の、前部折込み部分５、左側部折込み部分３、右側部折込み部分４、および後部折込み部分１０に囲まれた部分が、敷布団Ｓを周縁収容部１３内に出し入れするための出し入れ口１４となっている。更には、周縁収容部１３の出し入れ口１４の周縁１５の全周にわたって、周方向に連通する全周袋部１６が形成されている。全周袋部１６内にはゴム糸（ゴム線条）１７が装入されている。このゴム線条１７により出し入れ口１４が弾性的に縮径される。
【００１９】
この敷布団カバー１ａによれば、既述した敷布団カバー１と同様に、作業者１人で迅速かつ容易にベッドメイクを行なうことができ、ニット生地Ｎの使用により比較的容易にぴんとした展張状態が得られ、その展張状態を長く保持することができる。
加えて、ゴム線条１７の収縮力により左側部折込み部分３、右側部折込み部分４、前部折込み部分５、後部折込み部分１０がそれぞれ内向きに引っ張られ、それに伴って上面覆い部分２が周縁部に向けて引っ張られるので、上面覆い部分２は先述した敷布団カバー１よりもいっそう強く展張されるのである。また、後部折込み部分１０により敷布団Ｓの後部２５が収容されるので、上面覆い部分２の後端部が通常の使用程度ではめくれ上がったりしない。
【００２０】
尚、本考案に用いるゴム線条としては、編地で被覆されたゴム糸やゴム紐に限らず、編地のないゴム線のみであっても構わない。
【図面の簡単な説明】
【００２１】
【図１】本考案の一実施形態に係る敷布団カバーの底面図である。
【図２】図１におけるＡ−Ａ線矢視で示す側断面図である。
【図３】敷布団カバーの原材料であるニット生地の底面図である。
【図４】敷布団カバーをベッドメイクする態様を順次示す図であって、（ａ）〜（ｄ）は側断面図、（ｅ），（ｆ）は（ｃ）におけるＢ−Ｂ線矢視で示す正断面図である。
【図５】敷布団カバーによるベッドメイクを終えた態様を示す外観図である。
【図６】本考案の別の実施形態に係る敷布団カバーの底面図である。
【図７】図６におけるＣ−Ｃ線矢視で示す図であり敷布団を収容した側断面図である。
【図８】従来の敷布団カバーを用いてベッドメイクをする態様を示す一部断面を含む側面図である。
【図９】従来の敷布団カバーを電動ベッドの敷布団に用いた態様を示す外観図である。
【符号の説明】
【００２２】
１，１ａ  敷布団カバー
２    上面覆い部分
３    左側部折込み部分
４    右側部折込み部分
５    前部折込み部分
６，７，１１，１２  重なり部分
８    前収容部
１０  後部折込み部分
１３  周縁収容部
１４  出し入れ口
１５  周縁
１６  全周袋部
１７  ゴム線条
２０  左側端
２１  右側端
２２  前端
２３  後端
２４  前部
２５  後部
２６  左側部
２７  右側部
Ｎ    ニット生地
Ｓ    敷布団
【図１】
0003104112.tif 000003
【図２】
0003104112.tif 000004
【図３】
0003104112.tif 000005
【図４】
0003104112.tif 000006
【図５】
0003104112.tif 000007
【図６】
0003104112.tif 000008
【図７】
0003104112.tif 000009
【図８】
0003104112.tif 000010
【図９】
0003104112.tif 000011